(57)【要約】【課題】吸引力の低下を抑制すること。【解決手段】背負い式集じん機は、吸引口と、吸引口と接続され集じんパックが収容される集じん室と、集じん室と接続されファン及びモータが収容されるモータ室と、モータ室からの気体が排出される排気口と、を有するハウジングを備える。背負い式集じん機は、集じん室の側方において集じん室に面するように配置されたフィルタを備える。【選択図】図３
2020141794.tif 000002
【特許請求の範囲】
【請求項１】
吸引口と、
前記吸引口と接続され集じんパックが収容される集じん室と、
前記集じん室と接続されファン及びモータが収容されるモータ室と、
前記モータ室からの気体が排出される排気口と、を有するハウジングを備える背負い式集じん機であって、
前記集じん室の側方において前記集じん室に面するように配置されたフィルタを備えることを特徴とする背負い式集じん機。
【請求項２】
前記モータ室は、前記集じん室の下方に設けられ、
前記ファンは、前記ファンの回転軸が上下方向と直交するように配置されることを特徴とする請求項１に記載の背負い式集じん機。
【請求項３】
前記モータ室に配置される制御基板を備え、
前記制御基板は、前記モータよりも下流において、前記制御基板の表面が前記回転軸と直交するように配置されることを特徴とする請求項２に記載の背負い式集じん機。
【請求項４】
前記吸引口は、前記ハウジングの上部に設けられることを特徴とする請求項１から請求項３のいずれか一項に記載の背負い式集じん機。
【請求項５】
前記集じんパックを振動させる振動装置を備えることを特徴とする請求項１から請求項４のいずれか一項に記載の背負い式集じん機。
【請求項６】
吸引口と、
前記吸引口と接続され集じんパックが収容される集じん室と、
流路を介して前記集じん室と接続されファン及びモータが収容されるモータ室と、
前記モータ室からの気体が排出される排気口と、を有するハウジングを備える背負い式集じん機であって、
前記集じんパックを振動させる振動装置を備えることを特徴とする背負い式集じん機。
【請求項７】
前記振動装置は、前記集じんパックと接触可能な支持面を有し、弾性部材により支持される支持部材を含むことを特徴とする請求項６に記載の背負い式集じん機。
【請求項８】
前記支持部材は、前記集じん室において前記集じんパックの下方に配置されることを特徴とする請求項７に記載の背負い式集じん機。
【請求項９】
前記支持部材を動かすための操作部材を備える、
請求項７又は請求項８に記載の背負い式集じん機。
【発明の詳細な説明】
【技術分野】
【０００１】
本発明は、背負い式集じん機に関する。
【背景技術】
【０００２】
背負い式集じん機は、ファン及びファンを回転させる動力を発生するモータを備える。ファンが回転することにより、背負い式集じん機の吸引口から空気が塵埃とともに吸引される。吸引口から吸引された空気は、背負い式集じん機の内部空間を流通した後、排気口から排出される。
【先行技術文献】
【特許文献】
【０００３】
【特許文献１】特開２０１７−０１８５６７号公報
【発明の概要】
【発明が解決しようとする課題】
【０００４】
吸引口から吸引された塵埃は、背負い式集じん機の集じん室に収容されている集じんパックに捕集される。集じんパックで捕集しきれなかった微小な塵埃は、集じん室に配置されているフィルタに捕集される。フィルタが閉塞されてしまうと、集じん機の吸引力が低下する可能性がある。
【０００５】
本発明の態様は、吸引力の低下を抑制することを目的とする。
【課題を解決するための手段】
【０００６】
本発明の態様に従えば、吸引口と、前記吸引口と接続され集じんパックが収容される集じん室と、前記集じん室と接続されファン及びモータが収容されるモータ室と、前記モータ室からの気体が排出される排気口と、を有するハウジングを備える背負い式集じん機であって、前記集じん室の側方において前記集じん室に面するように配置されたフィルタを備えることを特徴とする背負い式集じん機が提供される。
【発明の効果】
【０００７】
本発明の態様によれば、吸引力の低下を抑制することができる。
【図面の簡単な説明】
【０００８】
【図１】図１は、第１実施形態に係る背負い式集じん機を示す側面図である。
【図２】図２は、第１実施形態に係る背負い式集じん機を示す側面図である。
【図３】図３は、第１実施形態に係る背負い式集じん機を示す断面図である。
【図４】図４は、第１実施形態に係る背負い式集じん機を示す正面図である。
【図５】図５は、第１実施形態に係る背負い式集じん機を示す斜視図である。
【図６】図６は、第１実施形態に係る駆動ユニットの近傍を示す断面図である。
【図７】図７は、第１実施形態に係る排気口の近傍を示す図である。
【図８】図８は、第１実施形態に係る排気口を下方から見た図である。
【図９】図９は、第１実施形態に係る集じんパックを示す断面図である。
【図１０】図１０は、第１実施形態に係る振動装置の動作を説明するための図である。
【図１１】図１１は、第１実施形態に係る操作部材の動作を説明するための図である。
【図１２】図１２は、第１実施形態に係るバッテリをバッテリ装着部に装着するときの動作を模式的に示す上面図である。
【図１３】図１３は、第１実施形態に係るバッテリがバッテリ装着部に装着された状態を模式的に示す図である。
【図１４】図１４は、第２実施形態に係る背負い式集じん機を示す断面図である。
【図１５】図１５は、第３実施形態に係る振動装置を模式的に示す図である。
【図１６】図１６は、第４実施形態に係る振動装置を模式的に示す図である。
【図１７】図１７は、第５実施形態に係る振動装置を示すブロック図である。
【発明を実施するための形態】
【０００９】
以下、本発明に係る実施形態について図面を参照しながら説明するが、本発明はこれに限定されない。各実施形態に係る構成要素は、適宜組み合わせることができる。一部の構成要素を省略することができる。
【００１０】
以下の説明においては、「左」、「右」、「前」、「後」、「上」、及び「下」の用語を用いて各部の位置関係について説明する。これらの用語は作業者ＷＭを基準とした相対位置又は方向を示す。
【００１１】
［第１実施形態］
図１は、本実施形態に係る背負い式集じん機１を示す側面図である。図１に示すように、背負い式集じん機１は、作業者ＷＭに背負われた状態で使用される。背負い式集じん機１は、ハウジング２と、ハウジング２の吸引口３に接続されるホース４と、ホース４に接続されるパイプ５と、パイプ５に接続されるノズル６と、汎用バッテリ７が装着されるバッテリ装着部８と、操作装置９を備える。
【００１２】
汎用バッテリ７は、種々の電気機器の電源として使用可能である。汎用バッテリ７は、電動工具の電源として使用可能である。汎用バッテリ７は、電動工具以外の電気機器の電源として使用可能である。汎用バッテリ７は、本実施形態に係る背負い式集じん機１とは別の集じん機の電源として使用可能である。以下の説明において、汎用バッテリ７を適宜、バッテリ７、と称する。
【００１３】
ハウジング２は、作業者ＷＭに背負われる。ハウジング２は、肩ベルト１０Ａ及び腰ベルト１０Ｂにより作業者ＷＭの背中に装着される。肩ベルト１０Ａは、作業者ＷＭの肩に取り付けられる。腰ベルト１０Ｂは、作業者ＷＭの腰に取り付けられる。
【００１４】
ハウジング２は、内部空間を有する。ハウジング２は、前方を向く前面２Ａと、後方を向く後面２Ｂと、上方を向く上面２Ｃと、下方を向く下面２Ｄと、左方を向く左側面２Ｅと、右方を向く右側面２Ｆとを有する。ハウジング２が作業者ＷＭに背負われた状態で、ハウジング２の前面２Ａは、作業者ＷＭの背中と対向する。
【００１５】
吸引口３は、ハウジング２の上部に設けられる。ホース４は、可撓性である。ホース４の一端部が吸引口３に接続される。ホース４の他端部とパイプ５の一端部とが接続される。パイプ５の他端部にノズル６が接続される。ノズル６は、吸込口を有する。
【００１６】
ハウジング２は、バッテリ７が通過可能なバッテリ開口１１及びバッテリ開口１１に接続されるバッテリ収容部１２を有する。バッテリ７は、バッテリ収容部１２に収容される。バッテリ開口１１は、ハウジング２の下部に設けられる。バッテリ装着部８は、バッテリ収容部１２に配置される。
【００１７】
操作装置９は、作業者ＷＭに操作される。操作装置９は、例えば背負い式集じん機１を起動させるためのスイッチを含む。操作装置９は、腰ベルト１０Ｂに装着可能である。
【００１８】
図２は、本実施形態に係る背負い式集じん機１を示す側面図である。図３は、本実施形態に係る背負い式集じん機１を示す断面図であり、図２のＡ−Ａ線断面矢視図に相当する。図４は、本実施形態に係る背負い式集じん機１を示す正面図である。図５は、本実施形態に係る背負い式集じん機１を示す斜視図である。
【００１９】
ハウジング２は、内部空間を有するベースハウジング２０と、ベースハウジング２０に接続されるプレート２３とを含む。ベースハウジング２０は、前ハウジング２１と、後ハウジング２２とを含む。前ハウジング２１と後ハウジング２２とが接続される。プレート２３は、前ハウジング２１に接続される。プレート２３は、複数のネジボス２５により前ハウジング２１に固定される。なお、図４及び図５においては、プレート２３が仮想線で示されている。
【００２０】
前ハウジング２１は、上面２Ｃの一部、下面２Ｄの一部、左側面２Ｅの一部、及び右側面２Ｆの一部を含む。後ハウジング２２は、後面２Ｂ、上面２Ｃの一部、下面２Ｄの一部、左側面２Ｅの一部、及び右側面２Ｆの一部を含む。前ハウジング２１の後端部と後ハウジング２２の前端部とが接続されることによって、ベースハウジング２０の内部空間が規定される。
【００２１】
前ハウジング２１に凹部２４が設けられる。凹部２４は、前ハウジング２１の下部において後方に凹む。プレート２３は、凹部２４の開口を覆うように配置される。プレート２３は、前面２Ａを含む。ハウジング２が作業者ＷＭに背負われた状態で、プレート２３は、作業者ＷＭの背中と対向する。
【００２２】
ハウジング２は、吸引口３と、吸引口３と接続される集じん室１３と、流路１４を介して集じん室１３と接続されるモータ室１５と、流路１６を介してモータ室１５と接続される排気口１７とを有する。
【００２３】
集じん室１３、流路１４、モータ室１５、及び流路１６の一部は、ベースハウジング２０の内部空間に規定される。流路１６の一部は、前ハウジング２１の凹部２４とプレート２３との間に規定される。
【００２４】
集じん室１３は、ベースハウジング２０の内部空間の上部に設けられる。集じん室１３は、集じん室１３の周囲の少なくとも一部に配置される区画壁１３Ｗによって規定される。集じん室１３は、集じんパック１８を収容する。集じんパック１８は、吸引口３に接続される。集じんパック１８は、例えば紙パックである。集じんパック１８は、塵埃を捕集する。
【００２５】
モータ室１５は、ベースハウジング２０の内部空間において、集じん室１３の下方に設けられる。モータ室１５は、モータ室１５の周囲の少なくとも一部に配置される区画壁１５Ｗによって規定される。モータ室１５は、ファン３１及びモータ３２を含む駆動ユニット３０を収容する。
【００２６】
流路１４は、ベースハウジング２０の内部空間の右部に設けられる。流路１４は、流路１４の周囲の少なくとも一部に配置される区画壁１４Ｗによって規定される。流路１４は、上下方向に延在する。流路１４は、集じん室１３の右部とモータ室１５の右部とを接続する。
【００２７】
集じん室１３と流路１４との境界にフィルタ１９が配置される。フィルタ１９は、例えばＨＥＰＡ（High  Efficiency  Particulate  Air  Filter）である。フィルタ１９は、集じん室１３の側方に配置される。本実施形態において、フィルタ１９は、集じん室１３の右方に配置される。フィルタ１９は、上下方向に延在する。フィルタ１９は、集じん室１３に面するように配置される。
【００２８】
流路１６は、モータ室１５と排気口１７とを接続する。モータ室１５からの空気は、排気口１７からハウジング２の外部空間に排出される。
【００２９】
図６は、本実施形態に係る駆動ユニット３０の近傍を示す断面図である。図６に示すように、駆動ユニット３０は、ファン３１と、ファン３１を回転させる動力を発生するモータ３２と、ファン３１を収容するファンカバー３３と、モータ３２を支持するモータケース３４と、モータケース３４の周囲に配置されるダンパー３６と、モータケース３４を支持するモータサポート３７と、ファンカバー３３の周囲に配置されるサポートリング３８とを含む。駆動ユニット３０は、モータ室１５に収容される。
【００３０】
ファン３１は、回転軸ＡＸを中心に回転可能である。ファン３１は、集じん室１３の下方のモータ室１５において、回転軸ＡＸが上下方向と直交するように配置される。ファン３１の回転軸ＡＸは、左右方向に延在する。モータ３２の出力シャフト３２Ｓは、ファン３１と連結される。モータ３２の回転軸とファン３１の回転軸ＡＸとは一致する。モータ３２が駆動することにより、ファン３１が回転軸ＡＸを中心に回転する。
【００３１】
モータケース３４は、モータ３２の周囲に配置される。ダンパー３６は、モータ３２が発生する音を吸収する。すなわち、ダンパー３６は、吸音機能を有する。ダンパー３６は、例えばスポンジを含む。
【００３２】
モータサポート３７及びサポートリング３８のそれぞれは、ゴムのような弾性部材である。モータケース３４は、モータサポート３７及びサポートリング３８を介してハウジング２に固定される。
【００３３】
背負い式集じん機１は、モータ室１５に配置される制御基板３５を備える。本実施形態において、制御基板３５は、モータ室１５を規定する区画壁として機能する。制御基板３５は、モータ３２の左方に配置される。制御基板３５は、モータ３２よりも下流において、制御基板３５の表面とファン３１の回転軸ＡＸとが直交するように配置される。
【００３４】
図７は、本実施形態に係る排気口１７の近傍を示す図である。図８は、本実施形態に係る排気口１７を下方から見た図である。なお、図７においては、プレート２３が仮想線で示されている。
【００３５】
背負い式集じん機１は、モータ室１５と排気口１７との間の流路１６に配置され、モータ室１５からの空気が通過するスリット状の通気口４１を有するスリット部４０を備える。
【００３６】
スリット部４０は、ハウジング２の少なくとも一部に設けられる。本実施形態において、スリット部４０は、前ハウジング２１に設けられる。すなわち、通気口４１は、前ハウジング２１の一部に設けられる。
【００３７】
通気口４１は、左右方向に細長い。通気口４１の長手方向は左右方向であり、通気口４１の短手方向は上下方向である。通気口４１は、上下方向に複数配置される。隣り合う通気口４１の間にリブ４３が設けられる。
【００３８】
スリット部４０は、モータ室１５と排気口１７との間の流路１６に配置される。スリット部４０のリブ４３は、流路１６を、モータ室１５に近い流路１６Ａと、排気口１７に近い流路１６Ｂとに区画する。モータ室１５とスリット部４０との間の流路１６Ａは、ベースハウジング２０の内部空間に規定される。図３及び図６に示すように、流路１６Ａは、流路１６Ａの周囲の少なくとも一部に配置される区画壁１６Ｗによって規定される。スリット部４０と排気口１７との間の流路１６Ｂは、前ハウジング２１の凹部２４とプレート２３との間に規定される。
【００３９】
通気口４１の短手方向の寸法は小さい。通気口４１の短手方向の寸法が小さいので、ハウジング２の外部空間の異物が、ハウジング２の内部空間（流路１６Ａ）に侵入することが抑制される。
【００４０】
流路１６Ｂは、上下方向に延在する。流路１６Ｂは、前ハウジング２１の凹部２４の内面２４Ａとプレート２３の後面２３Ｂとの間に規定される。排気口１７は、流路１６Ｂの下端部に規定される。すなわち、排気口１７は、凹部２４の内面２４Ａの下端部と、プレート２３の後面２３Ｂの下端部とにより規定される。
【００４１】
ハウジング２が作業者ＷＭに背負われた状態で、通気口４１は、側方を向く。本実施形態において、通気口４１は、右方を向く。ハウジング２が作業者ＷＭに背負われた状態で、排気口１７は、下方を向く。
【００４２】
背負い式集じん機１は、通気口４１と排気口１７との間の流路１６Ｂの少なくとも一部に配置される吸音部材４２を備える。
【００４３】
図７及び図８に示すように、吸音部材４２は、通気口４１と対向するように配置される。吸音部材４２は、複数の通気口４１のそれぞれと対向する。吸音部材４２の少なくとも一部は、凹部２４の内面２４Ａに固定される。吸音部材４２の少なくとも一部は、プレート２３の後面２３Ｂに固定される。
【００４４】
吸音部材４２は、多孔質部材を含む。吸音部材４２は、空気を伝播する音を吸収して、騒音の発生を抑制する。背負い式集じん機１が発生する騒音として、空気が通気口４１を流通することにより発生する風切音、及びファン３１の回転により発生するＮＺ音が例示される。
【００４５】
吸音部材４２は、連続気泡の多孔質部材である。吸音部材４２は、多数の微小な気泡を有する。連続気泡とは、相互に繋がる複数の気泡をいう。連続気泡の多孔質部材として、軟質ウレタンスポンジ、グラウスール、ロックウール、及びフェルトの少なくとも一つが例示される。
【００４６】
連続気泡は、吸音機能を有する。音は、吸音部材４２の表面の気泡に入射する。吸音部材４２の表面の気泡に入射した音は、隣の気泡に伝播する。音は、気泡の内面に当たる。複数の気泡は繋がっている。音は、気泡の内面で反射しながら、複数の気泡を伝播する。音のエネルギーは、気泡の内面に何度も当たることにより減衰される。これにより、騒音が低減される。
【００４７】
図７に示すように、通気口４１と吸音部材４２との距離Ｄ１は、通気口４１と排気口１７との距離Ｄ２よりも短い。距離Ｄ２は、距離Ｄ１の少なくとも２倍である。距離Ｄ１は、通気口４１の長手方向における通気口４１の中心と吸音部材４２との距離である。
【００４８】
ファン３１は、回転軸ＡＸを中心に回転することにより、吸引口３に吸引力を発生させる。吸引口３に吸引力が発生することにより、ノズル６の吸込口から塵埃とともに吸い込まれた空気は、パイプ５及びホース４を流通する。
【００４９】
図３、図６、及び図７の矢印で示すように、パイプ５及びホース４を流通した空気は、吸引口３を介して集じん室１３に流入する。吸引口３には集じんパック１８が接続される。空気に含まれる塵埃は、集じんパック１８に捕集される。空気は、集じんパック１８を通過する。集じんパック１８を通過した空気は、フィルタ１９を通過する。フィルタ１９は、集じんパック１８で捕集しきれなかった微小な塵埃を捕集する。フィルタ１９を通過した空気は、流路１４を流通した後、モータ室１５に流入する。モータ室１５に流入した空気は、ファン３１及びモータ３２を通過し、制御基板３５に接触した後、流路１６Ａに流入する。流路１６Ａを流通した空気は、通気口４１を通過して、流路１６Ｂに流入する。流路１６Ｂを流通した空気は、排気口１７から排出される。
【００５０】
スリット状の通気口４１により、流路１６Ａに異物が侵入することが抑制される。通気口４１を流通する空気により風切音のような騒音が発生する可能性がある。本実施形態においては、通気口４１よりも下流に吸音部材４２が配置されている。吸音部材４２により、騒音の発生が抑制される。
【００５１】
図９は、本実施形態に係る集じんパック１８を示す断面図である。図９に示すように、集じんパック１８に塵埃が溜まると、塵埃の重量により、集じんパック１８から集じん室１３の底面に荷重がかけられる。本実施形態において、フィルタ１９は、ハウジング２が作業者ＷＭに背負われた状態で、集じん室１３の側方において集じん室１３に面するように配置される。本実施形態において、フィルタ１９は、集じん室１３の右方に配置される。これにより、集じんパック１８に塵埃が溜まっても、フィルタ１９が集じんパック１８に閉塞されてしまうことが抑制される。フィルタ１９の閉塞が抑制されるので、背負い式集じん機１の吸引力の低下が抑制される。
【００５２】
背負い式集じん機１は、集じんパック１８を振動させる振動装置５０を備える。図９に示すように、塵埃の少なくとも一部が、集じんパック１８の内面の上部に付着する可能性がある。集じんパック１８の内面の上部まで塵埃が付着すると、集じんパック１８を通過する空気の流量が低下し、背負い式集じん機１の吸引力が低下する可能性がある。振動装置５０により集じんパック１８が振動されることにより、集じんパック１８の内面の上部に付着していた塵埃は振い落され、集じんパック１８の下部に堆積する。これにより、背負い式集じん機１の吸引力の低下が抑制される。
【００５３】
本実施形態において、振動装置５０は、集じんパック１８と接触可能な支持面５１Ｓを有し、弾性部材５２により支持される支持部材５１を含む。
【００５４】
支持部材５１は、プレート状の部材である。図９に示すように、支持部材５１は、集じん室１３において集じんパック１８の下方に配置される。支持面５１Ｓは、集じんパック１８の下部と接触可能な支持部材５１の上面を含む。
【００５５】
弾性部材５２は、例えばコイルばねである。弾性部材５２は、支持部材５１の下面を支持する。本実施形態において、弾性部材５２は、支持部材５１よりも下方に配置された区画壁１５Ｗ及び区画壁１６Ｗに支持される。支持部材５１は、弾性部材５２を介して、区画壁１５Ｗ及び区画壁１６Ｗに支持される。弾性部材５２は、支持部材５１を揺動可能に支持する。
【００５６】
背負い式集じん機１は、支持部材５１を動かすための操作部材５３を備える。操作部材５３は、作業者ＷＭに操作される。操作部材５３の上端部は、支持部材５１の下面に対向するように配置される。操作部材５３の下端部は、ハウジング２の外側に配置される。操作部材５３の中間部は、ヒンジ５４を介してハウジング２の少なくとも一部に連結される。
【００５７】
図１０は、本実施形態に係る振動装置５０の動作を説明するための図である。作業者ＷＭがハウジング２を背負った状態で動いたり歩行したりすることにより、ハウジング２も動く。ハウジング２が動くと、弾性部材５２に支持されている支持部材５１は、ハウジング２の振幅よりも大きい振幅で振動する。ハウジング２が動くと、弾性部材５２の作用により、ハウジング２の振動が増幅された状態で支持部材５１に伝達される。支持部材５１が大きく振動することにより、支持部材５１に支持されている集じんパック１８も大きく振動する。集じんパック１８が大きく振動することにより、図１０に示すように、集じんパック１８の内面の上部に付着していた塵埃は振い落され、集じんパック１８の下部に堆積する。これにより、背負い式集じん機１の吸引力の低下が抑制される。
【００５８】
図１１は、本実施形態に係る操作部材５３の動作を説明するための図である。図１１に示すように、作業者ＷＭは、操作部材５３がヒンジ５４の回転軸を中心に回動するように、操作部材５３を操作することができる。操作部材５３が操作されることにより、操作部材５３の上端部が、支持部材５１に接触した状態で上下方向に移動する。これにより、支持部材５１が上下方向に大きく振動する。支持部材５１が上下方向に大きく振動することにより、支持部材５１に支持されている集じんパック１８も大きく振動する。集じんパック１８が大きく振動することにより、図１１に示すように、集じんパック１８の内面の上部に付着していた塵埃は振い落され、集じんパック１８の下部に堆積する。これにより、背負い式集じん機１の吸引力の低下が抑制される。
【００５９】
図２、図３、図５、及び図６に示すように、バッテリ開口１１は、ハウジング２の左側面２Ｅ及び右側面２Ｆのそれぞれに設けられる。バッテリ開口１１及びバッテリ収容部１２は、ハウジング２の下部に設けられる。
【００６０】
バッテリ装着部８は、バッテリ収容部１２の上面に配置される。バッテリ装着部８は、バッテリ７をガイドするガイドレール８１と、バッテリ７のバッテリ端子７２に接続される接続端子８２とを有する。ガイドレール８１は、左右方向に延在する。一対のガイドレール８１は、前後方向に配置される。一対のガイドレール８１は、平行に配置される。接続端子８２は、一対のガイドレール８１の間に配置される。
【００６１】
バッテリ７は、汎用バッテリである。バッテリ７は、電動工具用のバッテリでもよい。本実施形態において、バッテリ７は、電動工具の直流電源として使用可能である。バッテリ７は、複数のリチウムイオン電池セルを含む。バッテリ７は、充電器により充電可能である。バッテリ７は、携帯可能である。バッテリ７は、少なくともモータ３２に電力を供給する。
【００６２】
バッテリ７は、ガイドレール８１にガイドされる一対のスライドレール７１と、バッテリ装着部８の接続端子８２に接続されるバッテリ端子７２と、解除ボタン７３とを有する。
【００６３】
スライドレール７１は、バッテリ装着部８のガイドレール８１にガイドされる。一対のスライドレール７１は、平行に配置される。バッテリ端子７２は、一対のスライドレール７１の間に配置される。バッテリ７がバッテリ装着部８に装着された状態で、バッテリ端子７２と接続端子８２とが接続される。
【００６４】
解除ボタン７３は、バッテリ７とバッテリ装着部８との固定を解除するために操作される。解除ボタン７３は、バッテリ７の一端面７Ａに設けられる。バッテリ７は、左右方向において解除ボタン７３がハウジング２の中心に対して外側を向くように、バッテリ装着部８に装着される。バッテリ７がバッテリ装着部８に装着された状態で、解除ボタン７３は、バッテリ開口１１に面する。
【００６５】
本実施形態において、バッテリ装着部８は、バッテリ収容部１２においてバッテリ開口１１から離れるほど下方に傾斜する。すなわち、バッテリ装着部８は、バッテリ収容部１２の奥に向かって下方に傾斜する。ガイドレール８１が、バッテリ収容部１２においてバッテリ開口１１から離れるほど下方に傾斜する。
【００６６】
前ハウジング２１及び後ハウジング２２のそれぞれは、バッテリ収容部１２の底面２Ｐを規定する底板２６を有する。底面２Ｐは、バッテリ装着部８に装着されたバッテリ７の下面の一部と対向する。底面２Ｐは、バッテリ収容部１２においてバッテリ開口１１から離れるほど下方に傾斜する。前ハウジング２１の底板２６は、リブを介して前ハウジング２１の少なくとも一部に固定される。後ハウジング２２の底板２６は、リブを介して後ハウジング２２の少なくとも一部に固定される。バッテリ収容部１２の下部に開口１２Ｋが設けられる。開口１２Ｋは、前ハウジング２１の底板２６と後ハウジング２２の底板２６との間に設けられる。
【００６７】
前ハウジング２１及び後ハウジング２２のそれぞれは、バッテリ開口１１に接続される内側面２Ｑを規定する内側板２７を有する。内側面２Ｑは、バッテリ開口１１を通過するバッテリ７の側面の一部と対向する。前ハウジング２１の内側面２Ｑは、バッテリ収容部１２においてバッテリ開口１１から離れるほど後方に傾斜する。後ハウジング２２の内側面２Ｑは、バッテリ収容部１２においてバッテリ開口１１から離れるほど前方に傾斜する。すなわち、バッテリ収容部１２においてバッテリ７が通過する通路の前後方向の幅は、バッテリ収容部１２においてバッテリ開口１１から離れるほど小さくなる。
【００６８】
図１２は、本実施形態に係るバッテリ７をバッテリ装着部８に装着するときの動作を模式的に示す上面図である。バッテリ７をバッテリ装着部８に装着する場合、作業者ＷＭは、左側面２Ｅ及び右側面２Ｆのそれぞれに設けられているバッテリ開口１１を介してバッテリ収容部１２にバッテリ７を挿入することにより、バッテリ７をバッテリ装着部８に装着することができる。
【００６９】
左側のバッテリ装着部８にバッテリ７を装着する場合、作業者ＷＭは、左側面２Ｅに設けられているバッテリ開口１１にバッテリ７を挿入する。作業者ＷＭは、バッテリ装着部８のガイドレール８１にバッテリ７のスライドレール７１をガイドさせながら、バッテリ７を右方へスライドさせる。バッテリ７が右方にスライドすることにより、バッテリ７とバッテリ装着部８とが固定され、バッテリ７のバッテリ端子７２とバッテリ装着部８の接続端子８２とが接続される。これにより、バッテリ７がバッテリ装着部８に装着される。
【００７０】
右側のバッテリ装着部８にバッテリ７を装着する場合、作業者ＷＭは、右側面２Ｆに設けられているバッテリ開口１１にバッテリ７を挿入した後、左方へスライドさせることにより、バッテリ７をバッテリ装着部８に装着することができる。
【００７１】
図２及び図１２に示すように、本実施形態において、バッテリ開口１１の前後方向の寸法Ｗ１１は、ガイドレール８１が配置されたバッテリ収容部１２の前後方向の寸法Ｗ１２よりも大きい。寸法Ｗ１１は、一対の内側面２Ｑのバッテリ開口１１に最も近い端部間の距離に相当する。寸法Ｗ１２は、一対の内側面２Ｑのガイドレール８１に最も近い端部間の距離に相当する。バッテリ開口１１の寸法Ｗ１１が大きいので、作業者ＷＭは、バッテリ７をバッテリ開口１１に円滑に挿入することができる。作業者ＷＭは、例えばバッテリ７の側面を保持した状態で、バッテリ７をバッテリ開口１１に挿入することができる。バッテリ収容部１２の寸法Ｗ１２が小さいので、バッテリ７は、バッテリ収容部１２において内側板２７よりも奥のバッテリ収容部１２の内側面及びガイドレール８１にガイドされながら、バッテリ収容部１２を移動することができる。
【００７２】
また、底板２６が設けられているので、バッテリ７がバッテリ装着部８に装着されるとき又はバッテリ７がバッテリ装着部８から抜去されるとき、バッテリ収容部１２からのバッテリ７の落下が抑制される。
【００７３】
図３及び図６に示すように、背負い式集じん機１は、バッテリ収容部１２に配置され、バッテリ７をバッテリ開口１１に移動させる力を発生する移動機構７４を備える。移動機構７４は、バッテリ７に接触可能な位置に配置される。
【００７４】
移動機構７４は、弾性部材７４Ｅを含む。弾性部材７４Ｅとして、板ばねが例示される。なお、弾性部材７４Ｅは、コイルばねを含んでもよい。
【００７５】
弾性部材７４Ｅは、バッテリ７がバッテリ装着部８に装着された状態で、バッテリ７の他端面７Ｂに対向するように配置される。弾性部材７４Ｅは、バッテリ収容部１２の対向面１２Ａに設けられる。バッテリ７がバッテリ装着部８に装着された状態で、バッテリ７の他端面７Ｂと対向面１２Ａとは対向する。バッテリ７がバッテリ装着部８に装着された状態で、バッテリ７の他端面７Ｂと弾性部材７４Ｅとが接触する。
【００７６】
図１３は、本実施形態に係るバッテリ７がバッテリ装着部８に装着された状態を模式的に示す図である。バッテリ装着部８のガイドレール８１は、バッテリ収容部１２においてバッテリ開口１１から離れるほど下方に傾斜する。バッテリ７がバッテリ装着部８に装着された状態で、バッテリ７の他端面７Ｂと弾性部材７４Ｅとが接触する。バッテリ７がバッテリ装着部８に装着された状態で、弾性部材７４Ｅは、バッテリ７により弾性変形する。弾性変形した弾性部材７４Ｅは、バッテリ７をバッテリ開口１１に移動させる弾性力を発生する。
【００７７】
バッテリ装着部８からバッテリ７を外す場合、作業者ＷＭは、解除ボタン７３を操作する。解除ボタン７３が操作されることにより、バッテリ７とバッテリ装着部８との固定が解除される。バッテリ７とバッテリ装着部８との固定が解除されることにより、バッテリ７は、弾性部材７４Ｅが発生する弾性力によって、バッテリ開口１１に向かって移動する。弾性部材７４Ｅが発生する弾性力により、一端面７Ａを含むバッテリ７の少なくとも一部は、バッテリ開口１１からバッテリ収容部１２の外側に飛び出す。これにより、作業者ＷＭは、バッテリ７を円滑に保持することができる。作業者ＷＭは、バッテリ装着部８から抜去されたバッテリ７を保持して、バッテリ収容部１２から退去させることができる。
【００７８】
以上説明したように、本実施形態によれば、フィルタ１９は、集じん室１３の側方において集じん室１３に面するように配置される。これにより、フィルタ１９が集じんパック１８で閉塞されることが抑制される。したがって、背負い式集じん機１の吸引力の低下が抑制される。例えば集じんパック１８に塵埃が溜まっても、フィルタ１９が集じんパック１８で閉塞されることが抑制される。
【００７９】
モータ室１５は、集じん室１３の下方に設けられる。ファン３１は、ファン３１の回転軸ＡＸが上下方向と直交するように配置される。これにより、集じん室１３から排出され、フィルタ１９及び流路１４を流通した空気は、モータ室１５において上下方向と直交する方向に流通することができる。
【００８０】
制御基板３５は、モータ３２よりも下流において、制御基板３５の表面が回転軸ＡＸと直交するように配置される。これにより、ファン３１からの空気が制御基板３５に十分に当たる。そのため、制御基板３５は、効果的に冷却される。
【００８１】
吸引口３は、ハウジング２の上部に設けられる。これにより、吸引口３から吸引された塵埃は、重力の作用により、集じんパック１８の下部に移動することができる。集じんパック１８の内面の上部に塵埃が付着することが抑制される。
【００８２】
集じんパック１０を振動させる振動装置５０が設けられる。これにより、集じんパック１８の内面に塵埃が付着しても、塵埃を振り落すことができる。塵埃が集じんパック１８の内面から振り落とされるので、背負い式集じん機１の吸引力の低下が抑制される。
【００８３】
振動装置５０は、集じんパック１８と接触可能な支持面５１Ｓを有し、弾性部材５２により支持される支持部材５１を含む。これにより、背負い式集じん機１を背負った状態で、作業者ＷＭが動いたり歩行したりすることにより、集じんパック１８を振動させることができる。
【００８４】
支持部材５１は、集じん室１３において集じんパック１８の下方に配置される。これにより、集じんパック１８は下方から揺さぶられるので、集じんパック１８の内面に付着していた塵埃は、効果的に振り落とされる。
【００８５】
支持部材５１を動かすための操作部材５３が設けられる。これにより、作業者ＷＭは、任意のタイミングで、集じんパック１８を振動させることができる。
【００８６】
［第２実施形態］
以下の説明において、上述の実施形態と同一又は同等の構成要素については同一の符号を付し、その説明を簡略又は省略する。
【００８７】
図１４は、本実施形態に係る背負い式集じん機１Ｂを示す断面図である。上述の実施形態において、吸引口３は、ハウジング２の上面２Ｃに設けられることとした。図１４に示すように、吸引口３は、ハウジング２の左側面２Ｅに設けられてもよい。なお、吸引口３は、ハウジング２の右側面２Ｆに設けられてもよい。
【００８８】
［第３実施形態］
図１５は、本実施形態に係る振動装置５０Ｃを模式的に示す図である。図１５に示すように、振動装置５０Ｃは、集じんパック１８の上部に接続される振動素子５９を有する。振動素子５９は、集じん室１３に配置される。振動素子５９は、集じんパック１８の上部に振動を付与することができる。振動素子５９が駆動することにより、集じんパック１８の内面の上部に付着していた塵埃は、効果的に振い落される。
【００８９】
［第４実施形態］
図１６は、本実施形態に係る振動装置５０Ｄを模式的に示す図である。振動装置５０Ｄは、集じん室１３とハウジング２の外部空間とを結ぶ流路５６Ｆと、流路５６Ｆを開閉するバルブ５６とを有する。流路５６Ｆは、吸引口３とは異なる位置に設けられる。集じんパック１８を振動させる場合、吸引口３が蓋５５により閉じられ、流路５６Ｆがバルブ５６により閉じられた状態で、モータ３２が駆動する。これにより、集じん室１３の圧力が低下する。集じん室１３の圧力が低下した後、流路５６Ｆが開くようにバルブ５６が操作される。集じん室１３の圧力が低下した状態で、流路５６Ｆが開くことにより、ハウジング２の外部空間の空気が、流路５６Ｆを介して集じん室１３に流入する。ハウジング２の外部空間の空気は、集じん室１３に高速で流入する。集じん室１３に流入する空気により、集じんパック１８が振動する。本実施形態においても、集じんパック１８の内面に付着していた塵埃は、振い落される。
【００９０】
［第５実施形態］
図１７は、本実施形態に係る振動装置５０Ｅを示すブロック図である。図１７に示すように、振動装置５０Ｅは、制御基板３５と、モータ３２の回転数を検出する回転数センサ５７Ａと、吸引口３における吸引力を検出する吸引力センサ５７Ｂと、集じんパック１８に接触するように配置された振動素子５８とを有する。
【００９１】
制御基板３５は、回転数センサ５７Ａの検出データに基づいて、振動素子５８を駆動する。例えばモータ３２の駆動が停止され、モータ３２の回転数が第１閾値以下になったと判定したときに、制御基板３５は、振動素子５８を起動する。第１閾値は、予め決められた値である。モータ３２の回転数が低下した状態で、振動素子５８が集じんパック１８を振動することにより、集じんパック１８の内面に付着していた塵埃は、効果的に振い落される。
【００９２】
制御基板３５は、吸引力センサ５７Ｂの検出データに基づいて、振動素子５８を駆動してもよい。例えばモータ３２の駆動が停止され、吸引力が第２閾値以下になったと判定したときに、制御基板３５は、振動素子５８を起動する。第２閾値は、予め決められた値である。吸引力が低下した状態で、振動素子５８が集じんパック１８を振動することにより、集じんパック１８の内面に付着していた塵埃は、効果的に振い落される。
【符号の説明】
【００９３】
１…背負い式集じん機、２…ハウジング、２Ａ…前面、２Ｂ…後面、２Ｃ…上面、２Ｄ…下面、２Ｅ…左側面、２Ｆ…右側面、２Ｐ…底面、２Ｑ…内側面、３…吸引口、４…ホース、５…パイプ、６…ノズル、７…バッテリ（汎用バッテリ）、７Ａ…一端面、７Ｂ…他端面、８…バッテリ装着部、９…操作装置、１０Ａ…肩ベルト、１０Ｂ…腰ベルト、１１…バッテリ開口、１２…バッテリ収容部、１２Ａ…対向面、１３…集じん室、１３Ｗ…区画壁、１４…流路、１５…モータ室、１５Ｗ…区画壁、１６…流路、１６Ａ…流路、１６Ｂ…流路、１６Ｗ…区画壁、１７…排気口、１８…集じんパック、１９…フィルタ、２０…ベースハウジング、２１…前ハウジング、２２…後ハウジング、２３…プレート、２３Ｂ…後面、２４…凹部、２４Ａ…内面、２５…ネジボス、２６…底板、２７…内側板、３０…駆動ユニット、３１…ファン、３２…モータ、３２Ｓ…出力シャフト、３３…ファンカバー、３４…モータケース、３５…制御基板、３６…ダンパー、３７…モータサポート、３８…サポートリング、４０…スリット部、４１…通気口、４２…吸音部材、４３…リブ、５０…振動装置、５１…支持部材、５１Ｓ…支持面、５２…弾性部材、５３…操作部材、７１…スライドレール、７２…バッテリ端子、７３…解除ボタン、７４…移動機構、７４Ｅ…弾性部材、８１…ガイドレール、８２…接続端子、ＡＸ…回転軸、ＷＭ…作業者。
【図１】
2020141794.tif 000003
【図２】
2020141794.tif 000004
【図３】
2020141794.tif 000005
【図４】
2020141794.tif 000006
【図５】
2020141794.tif 000007
【図６】
2020141794.tif 000008
【図７】
2020141794.tif 000009
【図８】
2020141794.tif 000010
【図９】
2020141794.tif 000011
【図１０】
2020141794.tif 000012
【図１１】
2020141794.tif 000013
【図１２】
2020141794.tif 000014
【図１３】
2020141794.tif 000015
【図１４】
2020141794.tif 000016
【図１５】
2020141794.tif 000017
【図１６】
2020141794.tif 000018
【図１７】
2020141794.tif 000019